(57)【要約】【課題】蓄電セルの接続順番に関わらず安定した電圧均等化を行うことができると共に、無駄なコストを抑えて電圧均等化の有効時間を増加させることができる蓄電モジュール電圧均等化回路の実現。【解決手段】蓄電セル１〜６を直列接続して成る蓄電モジュールＭと、各蓄電セル１〜６に対応する電圧均等化用蓄電デバイス１１〜１６と、対応関係にある各蓄電セル１〜６と各電圧均等化用蓄電デバイス１１〜１６との接続をＯＮ／ＯＦＦ制御する第１のスイッチ３１〜４２と、電圧均等化用蓄電デバイス１１〜１６の並列接続をＯＮ／ＯＦＦ制御する第２のスイッチ６１〜７２を備え、第１のスイッチ３１〜４２がＯＮ及び第２のスイッチ６１〜７２がＯＦＦの状態と、第１のスイッチ３１〜４２がＯＦＦ及び第２のスイッチ６１〜７２がＯＮの状態とを交互に切替制御する。【選択図】図１
2015195636.tif 000002
【特許請求の範囲】
【請求項１】
Ｎ個（Ｎは２以上の整数）の蓄電セルを直列接続して成る蓄電モジュールと、各蓄電セルに対応して設けられたＮ個（Ｎは２以上の整数）の電圧均等化用蓄電デバイスと、対応関係にある各蓄電セルと各電圧均等化用蓄電デバイスとの接続をＯＮ／ＯＦＦ制御する第１のスイッチと、Ｎ個の電圧均等化用蓄電デバイスの並列接続をＯＮ／ＯＦＦ制御する第２のスイッチを備え、
上記第１のスイッチがＯＮ及び第２のスイッチがＯＦＦの状態と、上記第１のスイッチがＯＦＦ及び第２のスイッチがＯＮの状態とを交互に切替制御することを特徴とする蓄電モジュール電圧均等化回路。
【請求項２】
Ｎ個（Ｎは２以上の整数）の蓄電セルを直列接続して成る蓄電モジュールと、各蓄電セルに対応して設けられたＮ個（Ｎは２以上の整数）の電圧均等化用蓄電デバイスと、対応関係にある各蓄電セルと各電圧均等化用蓄電デバイスとの接続をＯＮ／ＯＦＦ制御する第１のスイッチと、Ｎ個の電圧均等化用蓄電デバイスの並列接続をＯＮ／ＯＦＦ制御する第２のスイッチを備え、
上記第１のスイッチがＯＮ及び第２のスイッチがＯＦＦの状態と、上記第１のスイッチがＯＦＦ及び第２のスイッチがＯＮの状態とを交互に切替制御しつつ、電圧均等化用蓄電デバイスの並列接続がＯＮされた状態において、任意の１蓄電セルと対応する電圧均等化用蓄電デバイスとの接続を行うと共に蓄電セルに接続する電圧均等化用蓄電デバイスを順番に切替制御することを特徴とする蓄電モジュール電圧均等化回路。
【請求項３】
Ｎ個（Ｎは２以上の整数）の蓄電セルを直列接続して成る蓄電モジュールと、各蓄電セルに対応して設けられたＮ個（Ｎは２以上の整数）の第１の電圧均等化用蓄電デバイスと、対応関係にある各蓄電セルと各第１の電圧均等化用蓄電デバイスとの接続をＯＮ／ＯＦＦ制御する第１のスイッチと、Ｎ個の第１の電圧均等化用蓄電デバイスの並列接続をＯＮ／ＯＦＦ制御する第２のスイッチを有し、また、各蓄電セルに対応して設けられたＮ個（Ｎは２以上の整数）の第２の電圧均等化用蓄電デバイスと、対応関係にある各蓄電セルと各第２の電圧均等化用蓄電デバイスとの接続をＯＮ／ＯＦＦ制御する第３のスイッチと、Ｎ個の第２の電圧均等化用蓄電デバイスの並列接続をＯＮ／ＯＦＦ制御する第４のスイッチを有しており、
第１のスイッチをＯＦＦ及び第２のスイッチをＯＮして第１の電圧均等化用蓄電デバイスの並列接続がＯＮの時に、第３のスイッチをＯＮ及び第４のスイッチをＯＦＦして蓄電セルと第２の電圧均等化用蓄電デバイスの接続をＯＮと成す状態と、第１のスイッチをＯＮ及び第２のスイッチをＯＦＦして蓄電セルと第１の電圧均等化用蓄電デバイスの接続がＯＮの時に、第３のスイッチをＯＦＦび第４のスイッチをＯＮして第２の電圧均等化用蓄電デバイスの並列接続をＯＮと成す状態とを交互に切替制御することを特徴とする蓄電モジュール電圧均等化回路。
【発明の詳細な説明】
【技術分野】
【０００１】
この発明は、複数個の蓄電セルを直列接続して成る蓄電モジュールにおいて、各蓄電セルの電圧を均等化することができる蓄電モジュール電圧均等化回路に関する。
【背景技術】
【０００２】
電気二重層キャパシタ、リチウムイオンキャパシタ、リチウムイオン電池等の蓄電セルは、作動電圧が２．５Ｖ〜４．２Ｖと、実際の電源で使用する電圧に比べて、非常に小さいため、使用したい電圧に適合するように、数個〜数百個の蓄電セルを直列接続して構成した蓄電モジュールとして使用されている。
【０００３】
複数個の蓄電セルを直列接続して成る上記蓄電モジュールにおいて、充放電が繰り返し行われると、各セルの容量、内部抵抗、自己放電率等のばらつきに起因してセル電圧にもばらつきが発生し、電圧の高くなった蓄電セルの劣化が加速され、最終的にそのセルは過充電及び過放電状態に陥り蓄電モジュール全体の寿命を著しく短縮させてしまう事態が生じる。
【０００４】
上記問題を回避するため、実開平０５−０２３５２７号公報（特許文献１）においては、一定電圧を超えた蓄電セルを放電させることにより、電圧を揃える電圧均等化回路が提案されている。
また、特開平１０−２２５００５号公報（特許文献２）においては、直列接続した蓄電セルの各蓄電セルに対して電圧均等化用のコンデンサを順次接続することにより、コンデンサを介して高電圧のセルから低電圧のセルへ充電されたエネルギーを移動させ電圧を平均化する電圧均等化回路が提案されている。
さらに、特開２００８−１１７５７３号公報（特許文献３）においては、２直列／２並列以上の蓄電セルで構成したモジュールにおいて、並列接続するセルの組合せをスイッチにより切り替えて、高電圧の蓄電セルから低電圧の蓄電セルへ充電されたエネルギーを移動させ電圧を平均化する電圧均等化回路が提案されている。
【先行技術文献】
【特許文献】
【０００５】
【特許文献１】実開平０５−０２３５２７号公報
【特許文献２】特開平１０−２２５００５号公報
【特許文献３】特開２００８−１１７５７３号公報
【発明の概要】
【発明が解決しようとする課題】
【０００６】
上記特許文献１に開示された電圧均等化回路の場合、放電回路を用いているため、過充電されたエネルギーを熱に変えるというエネルギーロスが発生するものであった。
【０００７】
上記特許文献２に開示された電圧均等化回路の場合は、放電回路を用いていないため、特許文献１のようなエネルギーロスの問題は生じないものである。
しかしながら、特許文献２の電圧均等化回路において、電圧均等化が行われている時間（有効時間）について考えると、電圧均等化の対象となる蓄電セルと電圧均等化用のコンデンサとを接続している時間のみが有効時間であり、対象外の蓄電セルに電圧均等化用のコンデンサを接続している時間は電圧均等化に寄与しない無効時間となる。つまり、所定の直列数Ｎにおける電圧均等化の効果は、１／Ｎのデューティでしか発揮されず大半が無効時間を占め、効果が非常に薄いと言える。
また、電圧を移す蓄電セルの接続順が連続している場合（例えば、１番目の蓄電セルと２番目の蓄電セル間で電圧を移す場合）であれば、最小２回の接続切替えで行えるが、接続順が最も離れている場合（例えば、１番目の蓄電セルとＮ番目の蓄電セル間で電圧を移す場合）にはＮ回の切替えを行わなければならず、電圧均等化が進みにくい組合せ状況も発生するものであった。
【０００８】
上記特許文献３に開示された電圧均等化回路の場合は、並列接続する蓄電セルの組合せを換えつつ、並列接続は維持されているので、時間帯全てで有効であり無効時間がないといえる。
しかしながら、所定の直列数Ｎを構成するためには最低２Ｎ＋１の蓄電セル数が必要となり、しかも１セルは未接続状態が発生し無駄になるので、蓄電セルの価格が高価な現状ではコスト高となり現実的ではない。
また、接続切替する蓄電セルは各々固定の２蓄電セルに対してのみなので、特許文献２の場合と同様にＮ回の接続を経て電圧平均化が進む組合せ状況も発生するものであった。
【０００９】
本発明は、上記問題に鑑みてなされたものであり、その目的とするところは、電圧均等化の対象となる蓄電セルの接続順番に関わらず安定した電圧均等化を行うことができると共に、無駄なコストを抑えて電圧均等化の有効時間を増加させることができる蓄電モジュール電圧均等化回路を実現することにある。
【課題を解決するための手段】
【００１０】
上記目的を達成するため、本発明の請求項１に記載の蓄電モジュール電圧均等化回路は、
Ｎ個（Ｎは２以上の整数）の蓄電セルを直列接続して成る蓄電モジュールと、各蓄電セルに対応して設けられたＮ個（Ｎは２以上の整数）の電圧均等化用蓄電デバイスと、対応関係にある各蓄電セルと各電圧均等化用蓄電デバイスとの接続をＯＮ／ＯＦＦ制御する第１のスイッチと、Ｎ個の電圧均等化用蓄電デバイスの並列接続をＯＮ／ＯＦＦ制御する第２のスイッチを備え、
上記第１のスイッチがＯＮ及び第２のスイッチがＯＦＦの状態と、上記第１のスイッチがＯＦＦ及び第２のスイッチがＯＮの状態とを交互に切替制御することを特徴とする。
【００１１】
本発明の請求項２に記載の蓄電モジュール電圧均等化回路は、
Ｎ個（Ｎは２以上の整数）の蓄電セルを直列接続して成る蓄電モジュールと、各蓄電セルに対応して設けられたＮ個（Ｎは２以上の整数）の電圧均等化用蓄電デバイスと、対応関係にある各蓄電セルと各電圧均等化用蓄電デバイスとの接続をＯＮ／ＯＦＦ制御する第１のスイッチと、Ｎ個の電圧均等化用蓄電デバイスの並列接続をＯＮ／ＯＦＦ制御する第２のスイッチを備え、
上記第１のスイッチがＯＮ及び第２のスイッチがＯＦＦの状態と、上記第１のスイッチがＯＦＦ及び第２のスイッチがＯＮの状態とを交互に切替制御しつつ、電圧均等化用蓄電デバイスの並列接続がＯＮされた状態において、任意の１蓄電セルと対応する電圧均等化用蓄電デバイスとの接続を行うと共に蓄電セルに接続する電圧均等化用蓄電デバイスを順番に切替制御することを特徴とする。
【００１２】
本発明の請求項３に記載の蓄電モジュール電圧均等化回路は、
Ｎ個（Ｎは２以上の整数）の蓄電セルを直列接続して成る蓄電モジュールと、各蓄電セルに対応して設けられたＮ個（Ｎは２以上の整数）の第１の電圧均等化用蓄電デバイスと、対応関係にある各蓄電セルと各第１の電圧均等化用蓄電デバイスとの接続をＯＮ／ＯＦＦ制御する第１のスイッチと、Ｎ個の第１の電圧均等化用蓄電デバイスの並列接続をＯＮ／ＯＦＦ制御する第２のスイッチを有し、また、各蓄電セルに対応して設けられたＮ個（Ｎは２以上の整数）の第２の電圧均等化用蓄電デバイスと、対応関係にある各蓄電セルと各第２の電圧均等化用蓄電デバイスとの接続をＯＮ／ＯＦＦ制御する第３のスイッチと、Ｎ個の第２の電圧均等化用蓄電デバイスの並列接続をＯＮ／ＯＦＦ制御する第４のスイッチを有しており、
第１のスイッチをＯＦＦ及び第２のスイッチをＯＮして第１の電圧均等化用蓄電デバイスの並列接続がＯＮの時に、第３のスイッチをＯＮ及び第４のスイッチをＯＦＦして蓄電セルと第２の電圧均等化用蓄電デバイスの接続をＯＮと成す状態と、第１のスイッチをＯＮ及び第２のスイッチをＯＦＦして蓄電セルと第１の電圧均等化用蓄電デバイスの接続がＯＮの時に、第３のスイッチをＯＦＦび第４のスイッチをＯＮして第２の電圧均等化用蓄電デバイスの並列接続をＯＮと成す状態とを交互に切替制御することを特徴とする。
【発明の効果】
【００１３】
本発明に係る請求項１に記載の蓄電モジュール電圧均等化回路は、「第１のスイッチがＯＮ及び第２のスイッチがＯＦＦの状態」と、「第１のスイッチがＯＦＦ及び第２のスイッチがＯＮの状態」とを交互に切替制御することで、電圧均等化の対象となる蓄電セルの接続順番に関わらず継続的な電圧均等化が実現され、この場合、電圧均等化が有効な時間の割合は１／２となると共に、未接続の電圧均等化用蓄電デバイスは存在しないので、無駄なコストも発生することはない。
また、１個の蓄電セルに対して、電圧均等化用蓄電デバイスが１個、スイッチが２種類（第１のスイッチ及び第２のスイッチ）の構成であるため、回路規模としては、比較的単純かつ安価に構成できる。
【００１４】
また、請求項２に記載の蓄電モジュール電圧均等化回路の如く、「第１のスイッチがＯＮ及び第２のスイッチがＯＦＦの状態」と、「第１のスイッチがＯＦＦ及び第２のスイッチがＯＮの状態」とを交互に切替制御しつつ、電圧均等化用蓄電デバイスの並列接続がＯＮされた状態において、任意の１蓄電セルと対応する電圧均等化用蓄電デバイスとの接続を行うと共に蓄電セルに接続する電圧均等化用蓄電デバイスを順番に切替制御する場合には、電圧均等化用蓄電デバイスの並列接続がＯＮされた状態においても、任意の１蓄電セルと対応する電圧均等化用蓄電デバイスとの接続が維持される分、請求項１の蓄電モジュール電圧均等化回路に比べて電圧均等化の有効時間の比率を増加させることができる。
【００１５】
請求項３に記載の蓄電モジュール電圧均等化回路にあっては、蓄電セルに、常時、第１の電圧均等化用蓄電デバイス又は第２の電圧均等化用蓄電デバイスのどちらかが接続することとなるので、電圧均等化の無効時間が存在せず、電圧均等化の有効時間を増加させることができる。
【図面の簡単な説明】
【００１６】
【図１】本発明に係る第１の蓄電モジュール電圧均等化回路を示す回路図である。
【図２】本発明に係る第１の蓄電モジュール電圧均等化回路において、蓄電セルと電圧均等化用蓄電デバイスとが接続された状態を示す回路図である。
【図３】本発明に係る第１の蓄電モジュール電圧均等化回路において、電圧均等化用蓄電デバイスが並列接続された状態を示す回路図である。
【図４】本発明に係る第１の蓄電モジュール電圧均等化回路において、１個の蓄電セルと電圧均等化用蓄電デバイスとの接続を維持しつつ、電圧均等化用蓄電デバイスが並列接続された状態を示す回路図である。
【図５】本発明に係る第１の蓄電モジュール電圧均等化回路におけるスイッチのＯＮ／ＯＦＦ制御を表すタイミングチャート図である。
【図６】汎用ロジックＩＣを用いてスイッチのＯＮ／ＯＦＦ制御を行う場合を示す回路図である。
【図７】汎用ロジックＩＣを用いてスイッチのＯＮ／ＯＦＦ制御を行う場合を示すタイミングチャート図である。
【図８】本発明に係る第２の蓄電モジュール電圧均等化回路を示す回路図である。
【発明を実施するための形態】
【００１７】
図１は、本発明に係る第１の蓄電モジュール電圧均等化回路Ａを示す回路図であり、この第１の蓄電モジュール電圧均等化回路Ａは、電気二重層キャパシタ、リチウムイオンキャパシタ、リチウムイオン電池等より成る６個の蓄電セル１〜６を直列接続して成る蓄電モジュールＭを有している。
【００１８】
尚、蓄電モジュールＭを構成する蓄電セルの数は６個に限定されるものではなく、Ｎ個（Ｎは２以上の整数）であれば良い。
また、蓄電モジュールＭを構成する蓄電セルは単体のものに限られず、単体の蓄電セルを複数並列接続して成る複合体も含む概念であり、斯かる複合体を、複数個直列接続して蓄電モジュールＭを形成することもできる。
【００１９】
また、各蓄電セル１〜６に対応する６個の電圧均等化用蓄電デバイス１１〜１６が設けられている。すなわち、蓄電モジュールＭを構成する蓄電セルがＮ個（Ｎは２以上の整数）場合、Ｎ個（Ｎは２以上の整数）の電圧均等化用蓄電デバイスが設けられる。
この電圧均等化用蓄電デバイス１１〜１６は、例えば、二次電池、電気二重層キャパシタ、リチウムイオンキャパシタ、コンデンサ等で構成することができる。
尚、図１においては、単体の電圧均等化用蓄電デバイス１１〜１６を６個用いた場合を例示したが、これに限定されるものではなく、各電圧均等化用蓄電デバイス１１〜１６を、複数の電圧均等化用蓄電デバイスを並列接続したもので構成することもできる。
【００２０】
対応関係にある各蓄電セル１〜６と各電圧均等化用蓄電デバイス１１〜１６との間には、それぞれ一対の第１のスイッチ（３１と３２，３３と３４，３５と３６，３７と３８，３９と４０，４１と４２）が挿接されており、対応関係にある各蓄電セル１〜６と各電圧均等化用蓄電デバイス１１〜１６との接続をＯＮ／ＯＦＦ制御できるようになっている。
すなわち、蓄電セル１と電圧均等化用蓄電デバイス１１との接続は第１のスイッチ３１，３２でＯＮ／ＯＦＦ制御され、蓄電セル２と電圧均等化用蓄電デバイス１２との接続は第１のスイッチ３３，３４でＯＮ／ＯＦＦ制御され、蓄電セル３と電圧均等化用蓄電デバイス１３との接続は第１のスイッチ３５，３６でＯＮ／ＯＦＦ制御され、蓄電セル４と電圧均等化用蓄電デバイス１４との接続は第１のスイッチ３７，３８でＯＮ／ＯＦＦ制御され、蓄電セル５と電圧均等化用蓄電デバイス１５との接続は第１のスイッチ３９，４０でＯＮ／ＯＦＦ制御され、蓄電セル６と電圧均等化用蓄電デバイス１６との接続は第１のスイッチ４１，４２でＯＮ／ＯＦＦ制御されるものである。
【００２１】
また、上記６個の電圧均等化用蓄電デバイス１１〜１６の並列接続をＯＮ／ＯＦＦ制御する第２のスイッチ６１〜７２が設けられている。
すなわち、電圧均等化用蓄電デバイス１１の正極及び負極に接続される一対の第２のスイッチ６１，６２、電圧均等化用蓄電デバイス１２の正極及び負極に接続される一対の第２のスイッチ６３，６４、電圧均等化用蓄電デバイス１３の正極及び負極に接続される一対の第２のスイッチ６５，６６、電圧均等化用蓄電デバイス１４の正極及び負極に接続される一対の第２のスイッチ６７，６８、電圧均等化用蓄電デバイス１５の正極及び負極に接続される一対の第２のスイッチ６９，７０、電圧均等化用蓄電デバイス１６の正極及び負極に接続される一対の第２のスイッチ７１，７２が設けられていると共に、電圧均等化用蓄電デバイス１１〜１６の正極に接続された第２のスイッチ６１，６３，６５，６７，６９，７１同士、負極に接続された第２のスイッチ６２，６４，６６，６８，７０，７２同士が接続されており、上記第２のスイッチ６１〜７２をＯＮすることにより、電圧均等化用蓄電デバイス１１〜１６の並列接続がＯＮされるようになっている。
【００２２】
図２及び図３に基づいて、上記構成を有する第１の蓄電モジュール電圧均等化回路Ａによる蓄電セル１〜６の電圧均等化の第１の手順を説明する。
先ず、図２に示すように、第２のスイッチ６１〜７２がＯＦＦの状態で第１のスイッチ３１〜４２をＯＮし、対応関係にある各蓄電セル１〜６と各電圧均等化用蓄電デバイス１１〜１６との接続をＯＮする。
この結果、電圧均等化用蓄電デバイス１１〜１６に蓄電セル１〜６の電圧がコピーされる。
【００２３】
次に、図３に示すように、第１のスイッチ３１〜４２をＯＦＦすると共に、第２のスイッチ６１〜７２をＯＮする。
この結果、６個の電圧均等化用蓄電デバイス１１〜１６の並列接続がＯＮされることにより、電圧均等化用蓄電デバイス１１〜１６の電圧が均等化される。
【００２４】
次に、再度、図２に示すように、第２のスイッチ６１〜７２をＯＦＦすると共に、第１のスイッチ３１〜４２をＯＮする。
この結果、蓄電セル１〜６に電圧均等化用蓄電デバイス１１〜１６の電圧がコピーされ、蓄電セル１〜６の電圧均等化が実現される。
【００２５】
上記の通り、「第１のスイッチ３１〜４２のＯＮ及び第２のスイッチ６１〜７２のＯＦＦ」（図２）→「第１のスイッチ３１〜４２のＯＦＦ及び第２のスイッチ６１〜７２のＯＮ」（図３）→「第１のスイッチ３１〜４２のＯＮ及び第２のスイッチ６１〜７２のＯＦＦ」（図２）の３回の動作で、電圧均等化の対象となる蓄電セルの接続順番に関わらず蓄電セル１〜６の電圧均等化を行うことができる。
【００２６】
そして、上記「第１のスイッチ３１〜４２がＯＮ及び第２のスイッチ６１〜７２がＯＦＦ」（図２）した状態と、「第１のスイッチ３１〜４２がＯＦＦ及び第２のスイッチ６１〜７２がＯＮ」（図３）した状態とを交互に切替制御することで、電圧均等化の対象となる蓄電セルの接続順番に関わらず継続的な電圧均等化が実現され、この場合、電圧均等化が有効な時間の割合は１／２となると共に、未接続の電圧均等化用蓄電デバイス１１〜１６は存在しないので、無駄なコストも発生しないものである。
【００２７】
また、１個の蓄電セルに対して、電圧均等化用蓄電デバイスが１個、スイッチが２種類（第１のスイッチ３１〜４２及び第２のスイッチ６１〜７２）の合計４個の構成であるため、回路規模としては、比較的単純かつ安価に構成できる。
しかも、上記の通り、状態が２種類（図２及び図３参照）のみのため、複雑なマイコン制御など必要なく、発振器等を用いた発振回路の１、０状態だけで、第１のスイッチ３１〜４２及び第２のスイッチ６１〜７２のＯＮ／ＯＦＦを制御でき、この点でも、単純かつ安価に回路を構成できる。勿論、マイコンを用いて、第１のスイッチ３１〜４２及び第２のスイッチ６１〜７２のＯＮ／ＯＦＦを制御しても良い。
【００２８】
次に、図４に基づいて、第１の蓄電モジュール電圧均等化回路Ａによる蓄電セル１〜６の電圧均等化の第２の手順を説明する。
この第２の手順は、上記第１の手順と同様に、「第１のスイッチ３１〜４２がＯＮ及び第２のスイッチ６１〜７２がＯＦＦ」した状態と、「第１のスイッチ３１〜４２がＯＦＦ及び第２のスイッチ６１〜７２がＯＮ」した状態とが交互に切替りつつ、図４に示すように、第２のスイッチ６１〜７２をＯＮして電圧均等化用蓄電デバイス１１〜１６の並列接続がＯＮされた状態において、任意の１蓄電セル（図４の場合は蓄電セル１）の第１のスイッチ３１，３２のみＯＮ状態を長く維持して、当該蓄電セル１と対応する電圧均等化用蓄電デバイス１１との接続を行うものであり、さらに、電圧均等化用蓄電デバイス１１〜１６の並列接続がＯＮされた状態において、蓄電セル１〜６に接続する電圧均等化用蓄電デバイス１１〜１６を順番に切り替えていくものである。
【００２９】
すなわち、図示は省略するが、図４に示す状態の後に、第２のスイッチ６１〜７２をＯＮして電圧均等化用蓄電デバイス１１〜１６の並列接続がＯＮされた状態において、第１のスイッチ３３，３４のみＯＮ状態が維持されて蓄電セル２と対応する電圧均等化用蓄電デバイス１２が接続される場合、以降、蓄電セル３と対応する電圧均等化用蓄電デバイス１３が接続される場合、蓄電セル４と対応する電圧均等化用蓄電デバイス１４が接続される場合、蓄電セル５と対応する電圧均等化用蓄電デバイス１５が接続される場合、蓄電セル６と対応する電圧均等化用蓄電デバイス１６が接続される場合が順番に行われるものである。
【００３０】
図５は、上記第２の手順における第１のスイッチ３１〜４２及び第２のスイッチ６１〜７２のＯＮ／ＯＦＦ制御を表すタイミングチャート図であり、第２のスイッチ６１〜７２は同期してＯＦＦ／ＯＮを一定周期で繰り返す。
一方、第１のスイッチ３１〜４２は、上記第２のスイッチ６１〜７２のＯＮ／ＯＦＦのタイミングと反転したＯＮ／ＯＦＦを繰返しつつも、一定周期でＯＦＦにならずにＯＮを維持するタイミングが現れ、そのタイミングが順番にズレていくという仕様である。
【００３１】
図５に示すタイミングチャートは、汎用ロジックＩＣやカウンターＩＣにて構成可能であり、一例として汎用ロジックＩＣで構成した回路図を図６に示す。
まずクロックは、第１のスイッチ３１〜４２をＯＮさせる信号のＯＲ条件とし、クロックを反転させた信号６１＿ＯＮが第２のスイッチ６１〜７２をＯＮさせる信号とする。  尚、図６は汎用ロジックＩＣにＨＣ４０１７を使用した場合を示しているが、この汎用ロジックＩＣはＨレベルを出力する出力ピン（Ｑ０〜Ｑ９）が、クロックに同期して順番に切替わる汎用ロジックＩＣであり、クロックの立上りに同期して出力ピンの内のＱ０〜Ｑ６が順番に切替わる設定にて使用する。
【００３２】
図７は、図６の回路図におけるクロックと出力のタイミングチャート図である。
この場合、電源投入時はＱ０出力のみがＨレベルで、他のＱ１〜Ｑ６はＬレベル出力である。その後、クロックの立上りに同期してＱ１、Ｑ２、Ｑ３、Ｑ４、Ｑ５、Ｑ６と順番にＨレベルになる出力が変わる。
本実施形態の蓄電モジュールＭは６直列であり、Ｑ６の出力はＣＬＲピンに接続されているので、Ｑ５の次にＱ６がＨレベルになると、リセットが掛かり、Ｑ０のみＨレベルの初期状態に戻り、以降、繰り返す。
【００３３】
そして、第１のスイッチ３１，３２をＯＮさせる信号はＱ０とＱ６とクロックをＯＲした信号３１＿ＯＮである。順に、第１のスイッチ３３，３４はＱ１とクロックをＯＲした信号３３＿ＯＮであり、第１のスイッチ３５，３６はＱ２とクロックをＯＲした信号３５＿ＯＮであり、第１のスイッチ３７，３８はＱ３とクロックをＯＲした信号３７＿ＯＮであり、第１のスイッチ３９，４０はＱ４とクロックをＯＲした信号３９＿ＯＮであり、第１のスイッチ４１，４２はＱ５とクロックをＯＲした信号４１＿ＯＮである。
この結果、図７における第１のスイッチ３１〜４２の制御信号３１＿ＯＮ〜４１＿ＯＮ及び第２のスイッチ６１〜７２の制御信号６１＿ＯＮのタイミングチャートが、図５のタイミングチャートと同一となり、汎用ロジックＩＣを用いて図５のタイミングチャートと同一のタイミングで制御することができる。
【００３４】
尚、図６におていは、汎用ロジックＩＣとしてＨＣ４０１７を使用した場合を例示したが、他の汎用ロジックＩＣを使用することも可能である。また、この論理回路をプログラミング化したＰＬＤ（Programmable Logic Device）等のデバイスを用いれば集積度を上げてワンチップ化することも可能である。勿論、マイコンなどのＣＰＵを用いて制御しても良い。
【００３５】
上記第２の手順は、「第１のスイッチ３１〜４２がＯＮ及び第２のスイッチ６１〜７２がＯＦＦ」した状態と、「第１のスイッチ３１〜４２がＯＦＦ及び第２のスイッチ６１〜７２がＯＮ」した状態とが交互に切替りつつ、電圧均等化用蓄電デバイス１１〜１６の並列接続がＯＮされた状態において、任意の１蓄電セルと対応する電圧均等化用蓄電デバイス１１との接続を行うと共に蓄電セル１〜６に接続する電圧均等化用蓄電デバイス１１〜１６を順番に切替制御するものであることから、電圧均等化用蓄電デバイス１１〜１６の並列接続がＯＮされた状態においても、任意の１蓄電セルと対応する電圧均等化用蓄電デバイス１１との接続が維持される分、上記第１の手順の場合に比べて電圧均等化の有効時間の比率を増加させることができる。
【００３６】
すなわち、上記第１の手順の場合は電圧均等化の有効時間の割合は「１／２」であったが、第２の手順の場合には「１／２＋１／２Ｎ」であり、１／２Ｎの比率分、第１の手順に比べて電圧均等化の有効時間の割合が増加する。
【００３７】
図８は、本発明に係る第２の蓄電モジュール電圧均等化回路Ｂを示すものであり、該第２の蓄電モジュール電圧均等化回路Ｂは、蓄電モジュールＭを構成する各蓄電セル１〜６に対応する６個の第１の電圧均等化用蓄電デバイス１１’〜１６’、対応関係にある各蓄電セル１〜６と第１の電圧均等化用蓄電デバイス１１’〜１６’の接続をＯＮ／ＯＦＦ制御する第１のスイッチ３１〜４２、上記６個の第１の電圧均等化用蓄電デバイス１１’〜１６’の並列接続をＯＮ／ＯＦＦ制御する第２のスイッチ６１〜７２を有し、また、各蓄電セル１〜６に対応する６個の第２の電圧均等化用蓄電デバイス１７〜２２、対応関係にある各蓄電セル１〜６と第２の電圧均等化用蓄電デバイス１７〜２２の接続をＯＮ／ＯＦＦ制御する第３のスイッチ４３〜５４、上記６個の第２の電圧均等化用蓄電デバイス１７〜２２の並列接続をＯＮ／ＯＦＦ制御する第４のスイッチ７３〜８４を有している。
【００３８】
上記第２の蓄電モジュール電圧均等化回路Ｂは、図８に示すように、「第１のスイッチ３１〜４２がＯＦＦ及び第２のスイッチ６１〜７２がＯＮ」されて、第１の電圧均等化用蓄電デバイス１１’〜１６’の並列接続がＯＮ状態となっている時は、「第３のスイッチ４３〜５４がＯＮ及び第４のスイッチ７３〜８４がＯＦＦ」されて、蓄電セル１〜６と第２の電圧均等化用蓄電デバイス１７〜２２の接続がＯＮ状態と成される。
次に、図示は省略するが、「第１のスイッチ３１〜４２がＯＮ及び第２のスイッチ６１〜７２がＯＦＦ」されて、蓄電セル１〜６と第１の電圧均等化用蓄電デバイス１１’〜１６’の接続がＯＮ状態となっている時は、「第３のスイッチ４３〜５４がＯＦＦ及び第４のスイッチ７３〜８４がＯＮ」されて、第２の電圧均等化用蓄電デバイス１７〜２２の並列接続がＯＮと成される。
以降、上記動作が交互に切替制御されて継続的な電圧均等化が実現されるのである。
【００３９】
上記第２の蓄電モジュール電圧均等化回路Ｂにあっては、蓄電セル１〜６に、常時、第１の電圧均等化用蓄電デバイス１１’〜１６’又は第２の電圧均等化用蓄電デバイス１７〜２２のどちらかが接続しているので、電圧均等化の無効時間が存在せず、電圧均等化の有効時間を増加させることができる。
【００４０】
尚、第２の蓄電モジュール電圧均等化回路Ｂにおいても、上記第１の蓄電モジュール電圧均等化回路Ａの第２の手順の場合と同様に制御しても良い。
すなわち、第１の電圧均等化用蓄電デバイス１１’〜１６’（又は第２の電圧均等化用蓄電デバイス１７〜２２）の並列接続がＯＮされた状態において、任意の１蓄電セルと対応する電圧均等化用蓄電デバイスとの接続を行い、さらに、蓄電セル１〜６に接続する電圧均等化用蓄電デバイス１１〜１６（又は第２の電圧均等化用蓄電デバイス１７〜２２）を順番に切り替えていくよう制御しても良い。
【符号の説明】
【００４１】
Ａ             第１の蓄電モジュール電圧均等化回路
Ｍ             蓄電モジュール
１〜６         蓄電セル
１１〜１６     電圧均等化用蓄電デバイス
３１〜４２     第１のスイッチ
６１〜７２     第２のスイッチ
Ｂ             第２の蓄電モジュール電圧均等化回路
１１’〜１６’ 第１の電圧均等化用蓄電デバイス
１７〜２２     第２の電圧均等化用蓄電デバイス
４３〜５４     第３のスイッチ
７３〜８４     第４のスイッチ                                 
【図１】
2015195636.tif 000003
【図２】
2015195636.tif 000004
【図３】
2015195636.tif 000005
【図４】
2015195636.tif 000006
【図５】
2015195636.tif 000007
【図６】
2015195636.tif 000008
【図７】
2015195636.tif 000009
【図８】
2015195636.tif 000010